(57)【要約】      （修正有）【課題】プール内側面に取付孔を形成する必要のない昇降装置を提供する。【解決手段】プールの水槽内から立ち上がる梯子状の本体１１と、その梯子状本体の上端から斜めに延びた後、下方に湾曲する手摺り部分１２と、梯子状本体の下端からプール内側面Ｂに向かって延びる脚部分１３とからなる。梯子状本体及び手摺り部分、脚部分は、並行な二本のＳＵＳ３０４製パイプ１１ａからなり、その両パイプの梯子状本体の部分に所要数のステップ杆１１ｂを設けている。最上段のステップ下側の突杆１４にフック１５を設け、脚部分１３はプール内側面にキャップ１８を介して突き当てる。フックによる梯子状本体のフロー溝オーバー壁ｂへの係止点と、手摺り部分のプール側壁上面Ａへの固定点との２点で支えることとなるため、梯子状本体は強固に支持される。このため、脚部分はプール内側面に突き当てるだけで十分な支持強度を得ることができる。【選択図】図２
0003193145.tif 000002
【実用新案登録請求の範囲】
【請求項１】
周囲にフロー溝（ａ）を有するプール内側面（Ｂ）に取り付けられる昇降装置（１０）であって、プール（Ｐ）の水槽（Ｓ）内から立ち上がるように設けられる梯子状の本体（１１）を有し、その梯子状本体（１１）の両側杆（１１ａ、１１ａ）の上部は、斜め前方に立ち上がって手摺り部分（１２）を形成した後、下側前方に湾曲してプール（Ｐ）の側壁上面（Ａ）に至ってその端はプール側壁上面（Ａ）に固定され、前記梯子状本体（１１）の両側杆（１１ａ、１１ａ）の下部は前記プール内側面（Ｂ）に向かい屈曲し脚部分（１３）を形成した後、その内側面（Ｂ）に突き当たり、さらに、梯子状本体（１１）には前記フロー溝（ａ）のオーバー壁（ｂ）に係止されるフック（１５）を有することを特徴とするプール用昇降装置。
【請求項２】
周囲にフロー溝（ａ）を有するプール内側面（Ｂ）に取り付けられた昇降装置（１０）であって、プール（Ｐ）の水槽（Ｓ）内から立ち上がる梯子状の本体（１１）を有し、その梯子状本体（１１）の両側杆（１１ａ、１１ａ）の上部は、斜め前方に立ち上がって手摺り部分（１２）を形成した後、下側前方に湾曲してプール（Ｐ）の側壁上面（Ａ）に至ってその端はプール側壁上面（Ａ）に固定され、前記梯子状本体（１１）の両側杆（１１ａ、１１ａ）の下部は前記プール内側面（Ｂ）に向かい屈曲し脚部分（１３）を形成した後、その内側面（Ｂ）に突き当っており、さらに、梯子状本体（１１）には前記フロー溝（ａ）のオーバー壁（ｂ）に係止されたフック（１５）を有することを特徴とするプール用昇降装置。
【考案の詳細な説明】
【技術分野】
【０００１】
この考案は、プールの内側面に設けられる、タラップ、ラダー等と呼ばれる梯子状の昇降装置に関するものである。
【背景技術】
【０００２】
この種の昇降装置は、プールの所要位置、例えば、四角状プールであれば、その角に設置される（本願図１、特許文献１図５参照）。
この梯子状昇降装置は、この考案の一実施形態を示す図１、図４を参照して説明すると、プールＰの水槽Ｓ内から立ち上がる梯子状の本体１１と、その梯子状本体１１の上端から斜めに延びた後、下方に湾曲する手摺り部分１２と、梯子状本体１１の下端からプール内側面に向かって延びる脚部分１３とからなる。梯子状本体１１及び手摺り部分１２、脚部分１３は、並行な二本のパイプ１１ａ、１１ａとからなり、その両パイプ１１ａ、１１ａの本体１１の部分に所要数のステップ杆（パイプ）１１ｂを設けている。
【０００３】
この構成の昇降装置は、従来、プールＰに設置する場合、上記手摺り部分１２のパイプ１１ａの下端をプールサイドの側壁上面に埋込固定し、上記脚部分１３のパイプ１１ａの端もプール内側面Ｂに埋込固定している。
【０００４】
このような昇降装置を備えた一般的なプールにおいて、昇降装置の位置が、プールの角等に特定されているため、子供や老人がプールから出ようとした場合、その昇降装置の位置まで移動しなくてはならない。
このため、プール内側面の全周に亘って溝状のステップを形成し、このステップであれば、プール全周にあるため、その全周囲の任意の位置からステップでもってプールから出ることができるとしている（特許文献１請求項１等参照）。
【先行技術文献】
【特許文献】
【０００５】
【特許文献１】特開２００３−２９３６０４号公報
【考案の概要】
【考案が解決しようとする課題】
【０００６】
プールＰの内側面Ｂは水槽Ｓの側面を構成するため、その防水処理が必要であり、できるだけ、各器具の取付孔を形成することは好ましくない。
特に、この昇降装置を設置していないプールＰにおいて、新たに、この昇降装置を設置する場合は、なおさらである。
また、上記特許文献１のように、プール内側面にステップを形成することは大がかりとなり、防水の問題等から、採用されていないのが実状である。
【０００７】
この考案は、以上の実状の下、プール内側面に取付孔を形成する必要のない昇降装置を提供することを課題とする。
【課題を解決するための手段】
【０００８】
上記課題を達成するため、この考案は、プールの周囲には水のフロー溝が必ず形成されており、そのフロー溝のオーバー壁はプール水槽側で突出していることに着目し、そのオーバー壁に梯子状本体をフックでもって係止することによってその梯子状本体の支え点とすることとしたのである。
このようにフックでもって梯子状本体を支えれば、手摺り部分のプール側壁上面への固定点との２点で支えることとなるため、梯子状本体は強固に支持される。このため、脚部分はプール内側面に突き当てるだけで十分な支持強度を得ることができる。
なお、プール側壁上面は、プール内側面に比べれば、簡単な防水処理で良いため、そのプール側壁上面に手摺り部分を埋込固定したりしても、コストが大きく高くなることはない。
【０００９】
この考案のプールに設置前の昇降装置の構成としては、プールの水槽内から立ち上がるように設けられる梯子状の本体を有し、その梯子状本体の両側杆の上部は、斜め前方に立ち上がって手摺り部分を形成した後、下側前方に湾曲してプールの側壁上面に至ってその端はプール側壁上面に固定され、前記梯子状本体の両側杆の下部は前記プール内側面に向かい屈曲し脚部分を形成した後、その内側面に突き当たり、さらに、梯子状本体にはフロー溝のオーバー壁に係止されるフックを有する構成を採用することができる。
また、プールに設置後の昇降装置の構成としては、プールの水槽内から立ち上がる梯子状の本体を有し、その梯子状本体の両側杆の上部は、斜め前方に立ち上がって手摺り部分を形成した後、下側前方に湾曲してプールの側壁上面に至ってその端はプール側壁上面に固定され、前記梯子状本体の両側杆の下部はプール内側面に向かい屈曲し脚部分を形成した後、その内側面に突き当っており、さらに、梯子状本体にはフロー溝のオーバー壁に係止されたフックを有する構成を採用することができる。
【考案の効果】
【００１０】
この考案は、以上のように構成して、脚部分をプール内側面に突き当てるだけで埋込固定しないようにしたので、安価な昇降装置とすることができる。
【図面の簡単な説明】
【００１１】
【図１】この考案に係る昇降装置をプールに設置した概略斜視図
【図２】図１の要部断面図
【図３】図２の要部拡大図
【図４】この考案に係る昇降装置の一実施形態の斜視図
【考案を実施するための形態】
【００１２】
この考案に係る昇降装置（プール入水ハシゴ）の一実施形態を図１〜図４に示し、この実施形態の昇降装置１０も、従来と同様に、プールＰの水槽Ｓ内から立ち上がる梯子状の本体１１と、その梯子状本体１１の上端から斜めに延びた後、下方に湾曲する手摺り部分１２と、梯子状本体１１の下端からプール内側面に向かって延びる脚部分１３とからなる。
梯子状本体１１及び手摺り部分１２、脚部分１３は、並行な二本のＳＵＳ３０４製パイプ１１ａ、１１ａとからなり、その両パイプ１１ａ、１１ａの梯子状本体１１の部分に所要数のステップ杆（パイプ）１１ｂを溶接によって設けている。
【００１３】
このような梯子状本体１１等において、この考案の特徴は、最上段のステップ１１ｂの下側に突杆１４を溶接によって設け、その突杆１４の先端に下向きのフック（片）１５を溶接によって設けた点、及び脚部分１３はプール内側面に突き当てるだけとした点である。手摺り部分１２の先端には従来と同様に固定片１６が溶接されている。
フック１５の内面には、ＣＲ(クロロプレンゴム）製の弾性片１７が接着されており、脚部分１３の先端には、同様のＣＲゴムからなるキャップ１８が嵌め込まれている。
【００１４】
この実施形態の昇降装置１０は以上の構成であり、工場において、図４に示す態様に組み立てて、設置する既設のプールＰに搬入する。
そのプールＰにおいては、所要の位置にこの昇降装置１０を設置することとなるが、例えば、図１に示す四隅近くに設置する場合、図２に示すように、その箇所にこの昇降装置１０を設置した時、手摺り部分１２の先端の固定片１６が十分な固定力が得られる深さとなるように、その設置箇所のプール側壁上面Ａを所要深さ及び幅に掘削する。
その掘削が終われば、図２、図３に示すように、フック１５をフロー溝ａのオーバー壁ｂに弾性片１７を介在して係止するとともに、脚部分１３の先端をキャップ１８を介してプール内側面Ｂに突き当てる。
このフック１５の係止及びキャップ１８の突き当てが十分になされている状態において、上記掘削溝にモルタル等を充填し、その上面をタイル等によって養生してこの昇降装置１０の設置を完了する。このとき、固定片１６はプール側壁上面（コンクリート）Ａにアンカーボルト等によって強固に固定する。
【００１５】
上記実施形態は既設のプールＰに設置する場合であったが、新設のプールにおいても、この昇降装置を設置し得ることは勿論である。
また、弾性片１７、キャップ１８の材料は、他の材料を使用でき、さらに、フック１５及び脚部分１３に焼き付け、接着等によって、弾性片１７等の弾性層を形成することもできる。
梯子状本体１１、手摺り部分１２及び脚部分１３等もＳＵＳ３０４に限らず、他の材料、例えば樹脂等を採用することもできる。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００１６】
１１  昇降装置の梯子状本体
１１ａ  同パイプ
１１ｂ  同ステップ杆
１２  同手摺り部分
１３  同脚部分
１４  フック用突杆
１５  フック
１６  固定片
１７  弾性片
１８  キャップ
Ｐ  プール
Ａ  プール側壁上面
Ｂ  プール内側面
Ｓ  プールの水槽
【図１】
0003193145.tif 000003
【図２】
0003193145.tif 000004
【図３】
0003193145.tif 000005
【図４】
0003193145.tif 000006